(57)【特許請求の範囲】
【請求項１】
薬液を収容する容器本体と、吐出孔を有する操作ロッドを軸方向に押し操作して作動させるポンプ機構と、該ポンプ機構を前記容器本体の口部に装着するアダプタと、該アダプタに相対回転自在に収納するリング部材と、前記ポンプ機構からの薬液を噴霧するチップを有し、前記操作ロッドを押し操作するノズル部材とを備えてなり、前記リング部材は、前記ノズル部材による指定回数の噴霧動作を指示する指示位置と、前記ノズル部材の押し操作を禁止するロック位置とに手動セット可能であり、前記リング部材の内周には、上向きの斜面を有する歩進用の第１の係合片と、下向きの斜面を有する歩進用の第２の係合片とを押し操作の指定回数相当の組数だけ周方向に形成し、前記ノズル部材の外周には、押し操作ごとに前記第１、第２の係合片の各組に順に係合して前記リング部材を歩進回転させる係合突部を形成し、前記ノズル部材は、前記リング部材を指示位置からロック位置に至るまで押し操作ごとに歩進回転させることを特徴とする噴霧容器。
【請求項２】
前記ノズル部材の上端面は、滑り止め用のリブを形成する斜めの押圧面に形成することを特徴とする請求項１記載の噴霧容器。
【請求項３】
前記リング部材の内周には、前記係合突部が係合することにより前記ノズル部材を押し操作不能にロックするロック用の係合片を形成することを特徴とする請求項１または請求項２記載の噴霧容器。
【請求項４】
前記リング部材には、ばね片を介して内向きに付勢する係合突起を形成し、前記アダプタには、前記係合突起が弾発的に係合することにより前記ノズル部材の指定回数の最後の押し操作の完了位置からロック位置にまで前記リング部材を歩進回転させる横断面山形の係合部を形成することを特徴とする請求項１ないし請求項３のいずれか記載の噴霧容器。
【請求項５】
前記アダプタには、前記係合突起が弾発的に係合することにより前記リング部材を指示位置、ロック位置にセットするときクリック感を生じさせる係合凹溝を形成することを特徴とする請求項４記載の噴霧容器。
【請求項６】
前記リング部材には、前記ノズル部材の押し操作を無制限に許容する許容位置をロック位置と指示位置との間に設けることを特徴とする請求項１ないし請求項５のいずれか記載の噴霧容器。
【発明の詳細な説明】
【技術分野】
【０００１】
この発明は、内蔵のポンプ機構による薬液の噴霧回数を制限して投薬ごとの投薬量を正確に管理することができる噴霧容器に関する。
【背景技術】
【０００２】
手動式のポンプ機構を内蔵する薬液の噴霧容器であって、噴霧回数を計数し、一定の噴霧回数以上の使用を禁止することができる噴霧容器が提案されている（特許文献１）。
【０００３】
噴霧容器は、ポンプ機構を装着する薬液容器と、薬液容器を収納するキャリヤユニットと、てこ式の操作レバー付きのケーシングとを一体に組み合わせて構成されている。そこで、てこ式の操作レバーを操作し、キャリヤユニットを介して薬液容器を軸方向に駆動することによってポンプ機構を作動させ、薬液を外部に噴霧することができる。なお、キャリヤユニットは、ラチェット機構により１回の噴霧動作ごとに歩進回転し、一定数以上の歩進回転を禁止するようになっている。すなわち、噴霧容器は、薬液容器内の薬液の使い始めからの噴霧回数を計数し、使い終りの時期を管理することができるから、薬液容器内の薬液が少なくなり、１回の噴霧動作により所定量の薬液が噴霧できなくなっても使用を継続するという不具合を回避することができる。
【先行技術文献】
【特許文献】
【０００４】
【特許文献１】特表２００３−５０４２８０号公報
【発明の概要】
【発明が解決しようとする課題】
【０００５】
かかる従来技術によるときは、薬液の使い始めからの噴霧回数が計数できるだけであるから、たとえば１回当りの投薬量が制限される薬液の噴霧回数を投薬の都度計数して管理する用途に適用できないという問題があった。
【０００６】
そこで、この発明の目的は、かかる従来技術の問題に鑑み、ポンプ機構を装着する容器本体にアダプタ、リング部材、ノズル部材を組み合わせることによって、投薬の都度、ノズル部材の押し操作による薬液の噴霧回数を制限して投薬量を正確に管理することができる噴霧容器を提供することにある。
【課題を解決するための手段】
【０００７】
かかる目的を達成するためのこの発明の構成は、薬液を収容する容器本体と、吐出孔を有する操作ロッドを軸方向に押し操作して作動させるポンプ機構と、ポンプ機構を容器本体の口部に装着するアダプタと、アダプタに相対回転自在に収納するリング部材と、ポンプ機構からの薬液を噴霧するチップを有し、操作ロッドを押し操作するノズル部材とを備えてなり、リング部材は、ノズル部材による指定回数の噴霧動作を指示する指示位置と、ノズル部材の押し操作を禁止するロック位置とに手動セット可能であり、リング部材の内周には、上向きの斜面を有する歩進用の第１の係合片と、下向きの斜面を有する歩進用の第２の係合片とを押し操作の指定回数相当の組数だけ周方向に形成し、ノズル部材の外周には、押し操作ごとに第１、第２の係合片の各組に順に係合してリング部材を歩進回転させる係合突部を形成し、ノズル部材は、リング部材を指示位置からロック位置に至るまで押し操作ごとに歩進回転させることをその要旨とする。
【０００８】
なお、ノズル部材の上端面は、滑り止め用のリブを形成する斜めの押圧面に形成することができ、リング部材の内周には、係合突部が係合することによりノズル部材を押し操作不能にロックするロック用の係合片を形成することができる。
【０００９】
また、リング部材には、ばね片を介して内向きに付勢する係合突起を形成し、アダプタには、係合突起が弾発的に係合することによりノズル部材の指定回数の最後の押し操作の完了位置からロック位置にまでリング部材を歩進回転させる横断面山形の係合部を形成してもよく、アダプタには、係合突起が弾発的に係合することによりリング部材を指示位置、ロック位置にセットするときクリック感を生じさせる係合凹溝を形成してもよい。
【００１０】
さらに、リング部材には、ノズル部材の押し操作を無制限に許容する許容位置をロック位置と指示位置との間に設けることができる。
【発明の効果】
【００１１】
かかる発明の構成によるときは、ポンプ機構は、アダプタを介して容器本体の口部に装着され、ノズル部材を介して操作ロッドを軸方向に押し操作して作動させることにより、ノズル部に付設するチップから薬液を外部に霧状に噴霧させることができる。なお、ポンプ機構は、復帰ばねを内蔵しており、ノズル部材は、押し操作して薬液を噴霧させると、押圧力を除去することにより復帰ばねを介して自動的に元の位置に戻る。すなわち、ノズル部材の押し操作は、各回ごとに往路の押し動作と復路の戻し動作とからなり、ポンプ機構は、ノズル部材を繰返し押し操作するだけで薬液の噴霧動作を繰り返すことができる。
【００１２】
一方、リング部材は、指示位置、ロック位置に手動セット可能であり、ノズル部材は、リング部材を指示位置からロック位置に至るまで押し操作ごとに歩進回転させるから、投薬の都度、リング部材を指示位置にセットして噴霧動作を開始すれば、ノズル部材の指定回数の押し操作、すなわちノズル部材による指定回数の噴霧動作の完了によりリング部材がロック位置にまで回転し、それ以上の噴霧動作を自動的に禁止して薬液の噴霧回数を制限し、投薬ごとの投薬量を正確に管理することができる。ただし、ノズル部材による噴霧動作の指定回数は、あらかじめ１または２以上の任意の整数に設定するものとする。
【００１３】
リング部材の内周に形成する歩進用の第１の係合片は、ノズル部材を押し操作すると、押し操作の往路においてノズル部材の外周の係合突部が上向きの斜面に係合してリング部材を歩進ピッチの１／２だけ歩進回転させ、歩進用の第２の係合片は、ノズル部材の押し操作の復路において係合突部が下向きの斜面に係合し、リング部材を歩進ピッチの残りの１／２だけ歩進回転させる。すなわち、ノズル部材を押し操作すると、ノズル部材の外周の係合突部は、押し操作の往路において第１の係合片の上向きの斜面に係合して歩進ピッチの前半の１／２だけリング部材を歩進回転させ、その後の押し操作の復路において、第２の係合片の下向きの斜面に係合して歩進ピッチの後半の１／２だけリング部材を歩進回転させ、ノズル部材の押し操作ごとにリング部材を所定の歩進ピッチずつ歩進回転させる。
【００１４】
なお、第１、第２の係合片は、ノズル部材の押し操作の指定回数相当の組数が用意されており、したがって、ノズル部材の外周の係合突部は、リング部材を指示位置にセットすると、最初の第１の係合片の斜面の上方に位置し、ノズル部材の指定回数の押し操作の完了時点で、最後の第２の係合片の斜面の上端に位置する。ただし、ノズル部材の外周の係合突部は、ノズル部材の押し操作の往路、復路において、それぞれ第１の係合片の上向きの斜面、第２の係合片の下向きの斜面に順次係合してリング部材を一方向に歩進回転させるために、リング部材の歩進回転方向に頂部を有する横向き三角形に形成するものとする。ただし、ノズル部材の係合突部は、同様の歩進動作を達成できる限り、たとえば円形、横向き半円形などであってもよい。
【００１５】
ノズル部材の外周の係合突部は、リング部材の内周に形成するロック用の係合片に係合することにより、ノズル部材を押し操作不能にロックすることができる。ただし、このときのリング部材は、ロック位置にあり、リング部材は、ノズル部材の押し操作が指定回数を完了したときに自動的にロック位置に移行する他、手動によりロック位置にセットすることができる。
【００１６】
リング部材に形成する係合突起は、アダプタに形成する横断面山形の係合部に対し、ばね材を介して弾発的に係合することにより、ノズル部材の指定回数の最後の押し操作の完了位置からロック位置にまでリング部材を自動的に歩進回転させることができる。なお、このようにしてリング部材をロック位置に回転させることにより、指定回数を超えてノズル部材を押し操作したり、それにより指定回数を超えて薬液の噴霧動作をしたりすることを確実に防止することができる。
【００１７】
リング部材の指示位置、ロック位置において、リング部材の係合突起が弾発的に係合してクリック感を生じさせる係合凹溝をアダプタに形成すれば、クリック感に基づいてリング部材を指示位置、ロック位置に容易に手動セットすることができる。なお、リング部材に許容位置を設けるときは、許容位置に対応する係合凹溝をアダプタに追加形成し、許容位置においてもクリック感を生じさせるものとする。
【００１８】
なお、リング部材に許容位置を設けるときは、リング部材を許容位置にセットすると、ノズル部材を押し操作してもリング部材が歩進回転することがなく、ノズル部材を無制限に押し操作し、任意の噴霧回数だけ薬液を噴霧して投薬することができる。
【図面の簡単な説明】
【００１９】
【図１】全体構成説明図
【図２】要部構成拡大断面説明図
【図３】要部分解斜視説明図
【図４】アダプタの構成説明図
【図５】リング部材の構成説明図
【図６】図２（Ａ）のＹ1 −Ｙ1 線矢視相当要部模式拡大断面図
【図７】図６のＹ2 −Ｙ2 線矢視相当要部模式拡大断面図
【図８】動作説明図（１）
【図９】動作説明図（２）
【図１０】動作説明図（３）
【発明を実施するための形態】
【００２０】
以下、図面を以って発明の実施の形態を説明する。
【００２１】
噴霧容器は、容器本体１０、ポンプ機構２０、アダプタ３０、リング部材４０、ノズル部材５０を一体に組み立ててなる（図１、図２）。ただし、図１（Ａ）、（Ｂ）は、それぞれ一部破断正面図、上面図であり、図２（Ａ）、（Ｂ）は、それぞれ図１（Ｂ）のＸ1 −Ｘ1 線矢視相当の動作説明縦断面図である。
【００２２】
容器本体１０は、上向きの口部１１を有する円筒容器である。口部１１の外周には、雄ねじ１１ａが形成されており、容器本体１０には、図示しない所定量の薬液が収納されている。また、容器本体１０には、ノズル部材５０を覆う着脱自在のキャップ６１が付属している。
【００２３】
ポンプ機構２０は、ねじ式のアダプタ３０を介して容器本体１０の口部１１に装着されている。アダプタ３０は、容器本体１０の雄ねじ１１ａに適合する雌ねじ３１を下半部に有し、雌ねじ３１の上部には、中間壁３２が形成されている。
【００２４】
ポンプ機構２０は、ケーシング２２、ピストン２３、操作ロッド２４を同軸状に一体に組み立てて構成されている。ケーシング２２には、ピストン２３を上方に付勢する復帰ばね２５が内装され、ケーシング２２の下端には、容器本体１０の底部に到達する薬液の吸引パイプ２６が連結されている。
【００２５】
ピストン２３の下端部には、上向きのフレア２３ａが形成され、フレア２３ａは、ピストン２３の上下に従ってケーシング２２内を上下に摺動する。ケーシング２２の上端部には、大径の計量用のカップ部２２ａが形成され、カップ部２２ａの上端縁には、外フランジ２２ｂが形成されている。操作ロッド２４の下端部には、カップ部２２ａの内面に沿って摺動する下向きのフレア２４ａが形成されている。ピストン２３の下部には、軸穴２３ｂが形成され、軸穴２３ｂの上部は、ピストン２３に装着する可撓性の弁体２３ｃを介してカップ部２２ａ内に開口している。なお、カップ部２２ａの上部には、容器本体１０に連通する戻し口２２ｃが形成されている。ピストン２３の上半部は、操作ロッド２４の下向き段付きの軸孔２４ｂに上向きに挿入され、上端部のテーパ部を介して位置決めされている。
【００２６】
ケーシング２２は、アダプタ３０を介し、パッキン２７ａとともに外フランジ２２ｂが口部１１の上端面に固定されている。また、操作ロッド２４は、シール材２７ｂを介してアダプタ３０の中間壁３２を下から上に摺動自在に貫通している。なお、操作ロッド２４の軸孔２４ｂは、吐出孔２４ｃとして操作ロッド２４の上端に開口している。
【００２７】
リング部材４０は、下半部の大径部をアダプタ３０の中間壁３２上に収納し、上半部の小径部を外部に露出している。リング部材４０は、小径部の外周にローレット４０ａ、４０ａ…が形成され、アダプタ３０の内面上端部の係合突部３３、３３…を介して抜止めされている。リング部材４０は、アダプタ３０に相対回転自在に収納されている。
【００２８】
ノズル部材５０は、下半部をリング部材４０に収納するようにして、ポンプ機構２０の操作ロッド２４の先端に連結されている。操作ロッド２４の吐出孔２４ｃは、ノズル部材５０の軸孔５１に向けて開口しており、ノズル部材５０の上端部には、連通孔５１ａを介して軸孔５１に連通するチップ５２が横向きに装着されている。ノズル部材５０の斜めの上端面は、滑り止め用のリブ５３ａ、５３ａ…を形成する押圧面５３に形成されている。ノズル部材５０の内部には、径方向のガイド羽根５４、５４が形成され、ガイド羽根５４、５４は、アダプタ３０の高い上向きの中心筒３４に形成する上下方向のガイド溝３４ａ、３４ａに対し、それぞれ切欠溝５４ａを介して上下に相対移動可能に組み合わされている。
【００２９】
ノズル部材５０の押圧面５３を押すと、ノズル部材５０は、リング部材４０内に下降し（図２（Ｂ））、ポンプ機構２０の復帰ばね２５を押し縮めながら、操作ロッド２４、ピストン２３を下降させる。また、押圧面５３に加える押圧力を除去すると、ピストン２３、操作ロッド２４、ノズル部材５０は、復帰ばね２５を介して元の上昇位置に自動的に戻る（図２（Ａ））。そこで、たとえば容器本体１０を手指で正立状態に把持し、親指または人差指によりノズル部材５０の押圧面５３に繰り返し押圧力を加えれば、ポンプ機構２０は、吸引パイプ２６を介して容器本体１０内の薬液を吸引し、ノズル部材５０のチップ５２から外部に霧状に噴霧することができる。なお、このときのノズル部材５０の押し操作は、片手操作が可能である。
【００３０】
ポンプ機構２０において、ピストン２３の上向きのフレア２３ａは、ピストン２３が上昇する際に薬液の吸引用の逆止弁として働き、そのとき、カップ部２２ａ内が負圧になるため、ピストン２３上の弁体２３ｃは、ケーシング２２内の薬液をカップ部２２ａ内に流出させる。また、操作ロッド２４の下向きのフレア２４ａは、操作ロッド２４、ピストン２３が下降する際に、カップ部２２ａ内の薬液を軸孔２４ｂに送り込み、吐出孔２４ｃ、ノズル部材５０の軸孔５１、連通孔５１ａを介してチップ５２から霧状に噴霧させる。なお、軸孔２４ｂ内には、ピストン２３との間に十分な隙間が形成されている。また、カップ部２２ａの戻し口２２ｃは、操作ロッド２４、ピストン２３の下降時にカップ部２２ａ内のエアまたは薬液の一部を容器本体１０に戻す。すなわち、ポンプ機構２０は、ノズル部材５０を介して操作ロッド２４を軸方向に押し操作して作動させ、ノズル部材５０の押し操作の都度、一定量の薬液をチップ５２から噴霧させることができる。
【００３１】
なお、リング部材４０は、ノズル部材５０の指定回数の押し操作、すなわちノズル部材５０による指定回数の噴霧動作を指示する指示位置、ノズル部材５０の押し操作を禁止するロック位置、ノズル部材５０の押し操作を無制限に許容する許容位置に手動で回転してセットすることができ、ノズル部材５０は、リング部材４０を指示位置からロック位置に至るまで押し操作ごとに歩進回転させる。また、以上の各機能を実現するために、ノズル部材５０の外周下端に外向きの係合突部５５、５５を軸対称に形成し、リング部材４０の内周に歩進用の第１、第２の係合片４１、４１…、４２、４２…などを周方向に配列して形成し、アダプタ３０の中間壁３２上に低い上向きの中間筒３５を設け、アダプタ３０の上部外周に表示窓３６、３６を軸対称に設けているので、以下、説明する。
【００３２】
アダプタ３０、リング部材４０、ノズル部材５０の組合せ状態を図３に示す。ただし、図３（Ａ）、（Ｂ）は、それぞれ図示方向を異ならせて示す分解斜視図である。なお、アダプタ３０、リング部材４０、ノズル部材５０は、それぞれポリプロピレン、ＡＢＳなどの硬質のプラスチック材料により一体成形されている。
【００３３】
アダプタ３０の下半部は、径方向の連結片３７、３７…を介して連結する二重筒になっており（図４（Ｄ）、（Ｅ））、雌ねじ３１は、内筒側に形成され、雌ねじ３１の上方には、ポンプ機構２０を装着する際のパッキン２７ａ用の係合リブ３８が形成されている。また、中間壁３２の天面には、ポンプ機構２０の操作ロッド２４を貫通させるための小筒３２ａが垂設され、シール材２７ｂ用のシールリブ３２ｂが小筒３２ａのまわりに形成されている。ただし、図４（Ａ）、（Ｄ）は、それぞれアダプタ３０の上面図、下面図であり、図４（Ｂ）、（Ｃ）は、それぞれ同図（Ａ）のＸ2 矢視、Ｘ3 矢視相当図であり、図４（Ｅ）、（Ｆ）は、それぞれ同図（Ａ）のＸ4 −Ｘ4 線、Ｘ5 −Ｘ5 線矢視相当断面図である。
【００３４】
アダプタ３０の中間壁３２上の中間筒３５の上端は、外向きの斜面に形成されており（図４（Ｅ））、中間筒３５の外周には、横断面山形の係合部３５ａ、３５ａ、上下方向の係合凹溝３５ｂ、３５ｂ…が形成されている（図４（Ａ））。ただし、一対の係合部３５ａ、３５ａ、３本ずつ２組の係合凹溝３５ｂ、３５ｂ…は、中間筒３５の外周に軸対称に配置されている。
【００３５】
リング部材４０の下半部の大径部の外周には、数字１、２…５の他、文字Ｘ、∞が軸対称に２組表示されている（図３、図５（Ｂ）、（Ｃ））。また、リング部材４０の内周には、各５個ずつ２組の歩進用の第１、第２の係合片４１、４１…、４２、４２…の他、一対のロック用の係合片４３、４３、上下開放の凹溝４５、４５が軸対称に形成されている（図５（Ａ）、（Ｄ）、（Ｅ））。なお、各ロック用の係合片４３には、下向きのばね片４４ａの下端に内向きの係合突起４４が形成され（図５（Ｅ）、（Ｆ））、各係合突起４４は、ばね片４４ａを介して内向きに付勢されている。ただし、図５（Ａ）、（Ｄ）は、それぞれリング部材４０の上面図、下面図であり、図５（Ｂ）、（Ｃ）は、それぞれ同図（Ａ）のＸ6 矢視、Ｘ7 矢視相当図であり、図５（Ｅ）、（Ｆ）は、それぞれ同図（Ａ）のＸ8 −Ｘ8 線矢視相当断面図、Ｘ9 −Ｘ9 線矢視相当端面図である。
【００３６】
リング部材４０をアダプタ３０の中間壁３２上に収納すると（図２）、リング部材４０の内周の内向きの係合突起４４、４４は、リング部材４０の回転位置に応じて、それぞれアダプタ３０の中間筒３５の外周の係合部３５ａ、係合凹溝３５ｂ、３５ｂ…に弾発的に係合することができる（図６）。ただし、図６は、リング部材４０を回転させて指示位置に手動セットした状態を図示しており、このとき、各係合突起４４は、対応する係合部３５ａから時計回りに最も遠い係合凹溝３５ｂに係合している。また、このとき、アダプタ３０の各表示窓３６には、リング部材４０上の最大の数字５が表示されている（図１）。
【００３７】
リング部材４０の内周の歩進用の第１、第２の係合片４１、４１…、４２、４２…は、ロック用の係合片４３、上下開放の凹溝４５とともに、リング部材４０の内周の１／２に対し、それぞれ図７のように配列形成されている。すなわち、第１の係合片４１、４１…は、それぞれ上向きの斜面４１ａを片側に有し、リング部材４０の下端付近から上方に長く延びている。また、第２の係合片４２、４２…は、それぞれ下向きの斜面４２ａを片側に有し、第１の係合片４１、４１…の上方に、第１の係合片４１、４１…の間に対応させるようにして配置されている。また、ロック用の係合片４３は、隣接する第２の係合片４２の斜面４２ａに対応する斜面４３ａを片側に有し、凹溝４５側に急な斜面４３ｂが形成されている。また、凹溝４５に隣接する第１の係合片４１も、凹溝４５側に短い斜面４１ｂを有している。
【００３８】
ノズル部材５０の外周下端の係合突部５５、５５は、それぞれ横向き三角形に形成されている（図３）。係合突部５５の頂部は、各第１、第２の係合片４１、４２の斜面４１ａ、４２ａの形成方向と逆方向に向いている（図７）。リング部材４０が指示位置にあってノズル部材５０が押し操作されていないとき、各係合突部５５は、リング部材４０の凹溝４５に隣接する第１の係合片４１の上方の第２の係合片４２寄りにあり、その上端は、第２の係合片４２、４２…の上端よりやや高く、その下端は、ロック用の係合片４３の上端より僅かに高い位置にある。
【００３９】
そこで、ノズル部材５０を押し操作して薬液を噴霧させると、各係合突部５５が下降して直下の第１の係合片４１の斜面４１ａに係合し、リング部材４０を所定の歩進ピッチの１／２だけ歩進回転させることができる（図７、図８（Ａ1 ）の各矢印方向、図８（Ａ2 ）、（Ｂ2 ））。なお、各係合突部５５は、ノズル部材５０の押し操作により第１の係合片４１の斜面４１ａの下端の直下にまで下降し、次の第１の係合片４１との間に進入する。
【００４０】
その後、復帰ばね２５を介してノズル部材５０が元の位置に復帰するとき、各係合突部５５は、直上の第２の係合片４２の斜面４２ａに係合してリング部材４０を同方向に歩進ピッチの１／２だけ歩進回転させるとともに、次の第２の係合片４２との間にまで上昇する（図８（Ａ3 ））。また、このとき、リング部材４０の係合突起４４、４４は、それぞれ最初に係合していた係合凹溝３５ｂから歩進ピッチ相当だけ時計回りに離れる（図８（Ｂ1 ）〜（Ｂ3 ））。なお、このようにしてリング部材４０が歩進ピッチだけ回転すると、アダプタ３０の各表示窓３６の表示が数字５から数字４に変化する（同図（Ａ3 ））。
【００４１】
そこで、ノズル部材５０を再度押し操作して元の位置に復帰させると、リング部材４０が同方向にさらに歩進ピッチだけ歩進回転し、各表示窓３６の表示が数字３に変化する（図８（Ａ3 ）〜（Ａ5 ）、（Ｂ3 ）〜（Ｂ5 ））。以下同様にして、ノズル部材５０が５回目に押し操作された時点では、各係合突部５５は、第１の係合片４１とロック用の係合片４３との間に入り込み（図９（Ａ1 ））、リング部材４０の各係合突起４４は、アダプタ３０側の対応する係合部３５ａの反時計回りの直近に位置している（同図（Ｂ1 ））。各係合突部５５は、第１、第２の係合片４１、４１…、４２、４２…の各組に順に係合しながら昇降してリング部材４０を歩進回転させるからである。
【００４２】
つづいて、ノズル部材５０を元の位置に復帰させると、各係合突部５５は、直上の第２の係合片４２の斜面４２ａと、ロック用の係合片４３の斜面４３ａとの間を通ることによりリング部材４０を歩進ピッチの１／２だけ歩進回転させ（同図（Ａ2 ））、各係合突起４４は、係合部３５ａのピークを横切るようにして乗り越える（同図（Ｂ2 ））。そこで、各係合突起４４は、ばね片４４ａを介して内向きに付勢されるため、係合部３５ａの外面の斜面に弾発的に係合してリング部材４０をさらに回転させ、係合部３５ａの時計回りに隣接する係合凹溝３５ｂに係合するに至る（同図（Ｂ3 ））。なお、このとき、各係合突部５５は、ロック用の係合片４３の上方に相対的に進行して係合片４３の上端に係合し（同図（Ａ3 ））、ノズル部材５０を押し操作不能にロックすることができ、各表示窓３６には、文字Ｘが表示される。すなわち、図９（Ａ3 ）、（Ｂ3 ）において、リング部材４０は、ロック位置に自動セットされている。
【００４３】
ロック位置のリング部材４０は、さらに所定角度だけ手動回転させることにより、許容位置に手動セットすることができる（図９（Ａ4 ）、（Ｂ4 ））。このとき、ノズル部材５０の各係合突部５５は、リング部材４０の上下開放の凹溝４５上に位置し、リング部材４０の各係合突起４４は、アダプタ３０の各係合部３５ａから時計回りに２番目に隣接する係合凹溝３５ｂに係合する。なお、リング部材４０を許容位置にセットすると、ノズル部材５０は、各係合突部５５が凹溝４５内を上下にフリーに昇降することができ（図９（Ａ4 ）、（Ａ5 ）、（Ａ4 ））、リング部材４０を歩進回転させることなく、ノズル部材５０を無制限に押し操作することができる。また、このとき、アダプタ３０の各表示窓３６には、文字∞が表示されている。なお、リング部材４０は、ロック位置、許容位置の間を正逆に回転させ、両者に手動セット可能である。
【００４４】
アダプタ３０の中間筒３５の外周の係合凹溝３５ｂ、３５ｂ…は、各係合部３５ａから時計回りにリング部材４０のロック位置、許容位置、指示位置に順に対応している。また、各係合凹溝３５ｂは、ばね片４４ａを介して内向きに付勢されている係合突起４４が弾発的に係合する都度、軽いクリック感を発現することができる。一方、各表示窓３６の文字Ｘ、∞は、それぞれリング部材４０のロック位置、許容位置を示しており、数字５は、リング部材４０の指示位置において、ノズル部材５０の押し操作の指定回数、すなわちノズル部材５０による噴霧動作の指定回数を示す。また、リング部材４０を指示位置に手動セットしてノズル部材５０を押し操作すると、押し操作の１ストロークごとに残りの噴霧動作可能回数が順次各表示窓３６に数字表示される。
【００４５】
ノズル部材５０の押し操作、すなわちチップ５２からの薬液の噴霧動作に伴うリング部材４０、アダプタ３０の相対位置関係の一連の変化を図７に倣って図示すると、図１０のとおりである。図１０において、ノズル部材５０の押し操作に伴うリング部材４０の歩進回転は、リング部材４０に対する係合突部５５の相対移動経路として図示されている。また、図１０の最上段には、小さい横長の長方形の枠内の数字５、４…１、文字Ｘ、∞として、各表示窓３６内に表示される数字、文字が併せて図示されている。
【００４６】
以上の説明において、リング部材４０を指示位置に手動セットした場合のノズル部材５０の最大押し操作回数、すなわち噴霧動作の指定回数は、リング部材４０の内周に形成する歩進用の第１、第２の係合片４１、４１…、４２、４２…の組数に一致する。そこで、第１、第２の係合片４１、４１…、４２、４２…の組数を変更することにより、ノズル部材５０による噴霧動作の指定回数を任意に変更することができる。また、リング部材４０の内周には、第１、第２の係合片４１、４１…、４２、４２…、ロック用の係合片４３、凹溝４５を半周ごとに２組を軸対称に設けるに代えて、３組以上のｎ組を（１／ｎ）周ごとに等間隔に配置して設けてもよく、このとき、ノズル部材５０の外周の係合突部５５も、ｎ個を等間隔に配置するものとする。ただし、ｎは、３以上の整数である。
【００４７】
なお、第１、第２の係合片４１、４２、ロック用の係合片４３、係合部３５ａ、係合凹溝３５ｂ、ばね片４４ａ、係合突起４４、係合突部５５などの一連の関係部材は、それぞれの機能を達成し得る限り、図示以外の任意の形態に変更してもよい。また、リング部材４０に設ける許容位置は、これを省略してもよい。
【産業上の利用可能性】
【００４８】
この発明は、たとえば育毛剤や褥瘡の治療薬などのように、投薬ごとの投薬量を正確に管理すべき薬液を噴霧して投薬する用途に対し、広く好適に適用することができる。
【符号の説明】
【００４９】
１０…容器本体
１１…口部
２０…ポンプ機構
２４…操作ロッド
２４ｃ…吐出孔
３０…アダプタ
３５ａ…係合部
４０…リング部材
４１…第１の係合片
４２…第２の係合片
４１ａ、４２ａ…斜面
４３…係合片
４４…係合突起
４４ａ…ばね片
５０…ノズル部材
５２…チップ
５５…係合突部
特許出願人          伸晃化学株式会社
代理人  弁理士        松  田  忠  秋
【図１】
0005404205.tif 000002
【図２】
0005404205.tif 000003
【図３】
0005404205.tif 000004
【図４】
0005404205.tif 000005
【図５】
0005404205.tif 000006
【図６】
0005404205.tif 000007
【図７】
0005404205.tif 000008
【図８】
0005404205.tif 000009
【図９】
0005404205.tif 000010
【図１０】
0005404205.tif 000011